(57)【特許請求の範囲】
【請求項１】
コンピュータを、
電気機器で実行可能な複数の機能のそれぞれについて、各機能を実行する際に用いられる複数の設定項目のそれぞれに対応付けられた、各設定項目のみの設定値の入力を求める受付画面となる入力案内画像の組合わせで構成される入力案内画像群を記憶する入力案内画像記憶部と、
前記入力案内画像記憶部に記憶されている前記入力案内画像群毎に、各入力案内画像群によって入力が求められる全ての前記設定項目を必須の入力項目とするか否かの指定をユーザから受け付ける必須指定受付部と、
前記必須指定受付部において前記入力案内画像群によって入力が求められる全ての前記設定項目が必須の入力項目に指定されている場合に、当該設定項目に対する設定値が入力されたことを条件として、当該入力案内画像群を構成する各入力案内画像の表示を終了させる旨の表示制御指令を作成する表示制御指令作成部と、
前記入力案内画像群を用いて表示部に表示させる表示画面の画面データを生成し、当該入力案内画像群に対応する前記表示制御指令が作成されている場合は、当該入力案内画像群と当該表示制御指令とを対応付けた前記画面データを生成する画面データ生成部と、
前記画面データが示す前記入力案内画像群を構成する各入力案内画像を予め定められた表示順に順次前記表示部に表示する表示処理を行い、当該画面データが前記表示制御指令を有するときは、前記表示処理において表示中の前記入力案内画像によって入力が求められる前記設定項目の設定値が入力されるまで、当該入力案内画像の表示を維持する表示制御部と
して機能させる表示画面データ生成プログラム。
【請求項２】
コンピュータを、
電気機器で実行可能な複数の機能のそれぞれについて、各機能を実行する際に用いられる複数の設定項目のそれぞれに対応付けられた、各設定項目のみの設定値の入力を求める受付画面となる入力案内画像の組合わせで構成される入力案内画像群を記憶する入力案内画像記憶部と、
前記入力案内画像記憶部に記憶されている前記入力案内画像群を構成する各入力案内画像毎に、各入力案内画像に対応付けられている前記設定項目を必須の入力項目とするか否かの指定をユーザから受け付ける必須指定受付部と、
前記必須指定受付部において前記設定項目が必須の入力項目に指定されている前記入力案内画像の表示を、当該設定項目に対する設定値が入力されたことを条件として終了させる旨の表示制御指令を作成する表示制御指令作成部と、
前記入力案内画像群を構成する各入力案内画像を用いて前記画面データを生成し、当該入力案内画像に対応する前記表示制御指令が作成されている場合は、当該入力案内画像と当該表示制御指令とを対応付けた前記画面データを生成する画面データ生成部と、
前記画面データが示す前記入力案内画像群を構成する各入力案内画像を予め定められた表示順に順次前記表示部に表示する表示処理を行い、前記画面データが前記表示処理において表示中の前記入力案内画像に対応する前記表示制御指令を有するときは、当該入力案内画像によって入力が求められる前記設定項目の設定値が入力されるまで、当該入力案内画像の表示を維持する表示制御部と
して機能させる表示画面データ生成プログラム。
【請求項３】
電気機器で実行可能な複数の機能のそれぞれについて、各機能を実行する際に用いられる複数の設定項目のそれぞれに対応付けられた、各設定項目のみの設定値の入力を求める受付画面となる入力案内画像の組合わせで構成される入力案内画像群を記憶する入力案内画像記憶部と、
前記入力案内画像記憶部に記憶されている前記入力案内画像群毎に、各入力案内画像群によって入力が求められる全ての前記設定項目を必須の入力項目とするか否かの指定をユーザから受け付ける必須指定受付部と、
前記必須指定受付部において前記入力案内画像群によって入力が求められる全ての前記設定項目が必須の入力項目に指定されている場合に、当該設定項目に対する設定値が入力されたことを条件として、当該入力案内画像群を構成する各入力案内画像の表示を終了させる旨の表示制御指令を作成する表示制御指令作成部と、
前記入力案内画像群を用いて表示部に表示させる表示画面の画面データを生成し、当該入力案内画像群に対応する前記表示制御指令が作成されている場合は、当該入力案内画像群と当該表示制御指令とを対応付けた前記画面データを生成する画面データ生成部と、
前記画面データが示す前記入力案内画像群を構成する各入力案内画像を予め定められた表示順に順次前記表示部に表示する表示処理を行い、当該画面データが前記表示制御指令を有するときは、前記表示処理において表示中の前記入力案内画像によって入力が求められる前記設定項目の設定値が入力されるまで、当該入力案内画像の表示を維持する表示制御部と
を備える情報処理装置。
【請求項４】
電気機器で実行可能な複数の機能のそれぞれについて、各機能を実行する際に用いられる複数の設定項目のそれぞれに対応付けられた、各設定項目のみの設定値の入力を求める受付画面となる入力案内画像の組合わせで構成される入力案内画像群を記憶する入力案内画像記憶部と、
前記入力案内画像記憶部に記憶されている前記入力案内画像群を構成する各入力案内画像毎に、各入力案内画像に対応付けられている前記設定項目を必須の入力項目とするか否かの指定をユーザから受け付ける必須指定受付部と、
前記必須指定受付部において前記設定項目が必須の入力項目に指定されている前記入力案内画像の表示を、当該設定項目に対する設定値が入力されたことを条件として終了させる旨の表示制御指令を作成する表示制御指令作成部と、
前記入力案内画像群を構成する各入力案内画像を用いて前記画面データを生成し、当該入力案内画像に対応する前記表示制御指令が作成されている場合は、当該入力案内画像と当該表示制御指令とを対応付けた前記画面データを生成する画面データ生成部と、
前記画面データが示す前記入力案内画像群を構成する各入力案内画像を予め定められた表示順に順次前記表示部に表示する表示処理を行い、前記画面データが前記表示処理において表示中の前記入力案内画像に対応する前記表示制御指令を有するときは、当該入力案内画像によって入力が求められる前記設定項目の設定値が入力されるまで、当該入力案内画像の表示を維持する表示制御部と
を備える情報処理装置。
【発明の詳細な説明】
【技術分野】
【０００１】
本発明は、表示画面データ生成プログラム及び情報処理装置に関し、特に、電気機器の表示部に画像を表示させる技術に関する。
【背景技術】
【０００２】
従来、画像形成装置等の電気機器においては、画像形成装置の機能（スキャン動作等）実行時にユーザが設定項目の設定値を入力する際の操作性を向上させるために、当該機能の設定項目の設定値の入力を案内するために表示される操作案内画面を、所望の表示内容にカスタマイズ可能とする技術が提案されている（下記特許文献１参照）。また、このようにユーザが設定値を入力する際の操作性を向上させるために、画像形成装置の機能に対してユーザが頻繁に用いる設定値を事前に登録可能とし、ユーザが次回に当該機能を実行するときに、入力操作なしに既に登録している設定値を用いることを可能にする技術も提案されている。
【先行技術文献】
【特許文献】
【０００３】
【特許文献１】特開２００９−３０２９２１号公報
【発明の概要】
【発明が解決しようとする課題】
【０００４】
画像形成装置の機能を実行させる場合、例えば、スキャン動作を行わせるには、当該スキャン動作を実行するために入力が必須の設定値（解像度、カラー／モノクロ読取の別、読取データ送信先（読取データ保存先）等）が存在する。しかしながら、上記のようにして、画像形成装置の機能の設定値をユーザが、(1)機能実行時に入力する際、又は(2)事前に登録する際、当該登録が必須の設定値が入力されないことも考えられる。この場合、画像形成装置は、スキャン動作についての必須の設定値が存在しないまま、当該スキャン動作の実行を開始してしまい、動作エラーを生じる虞がある。
【０００５】
本発明は、上記の問題を解決するためになされたものであり、電気機器の機能についてユーザが所望の設定値を入力する際に、当該機能実行のために入力が必須の設定値が必ずユーザにより入力されるようにして、電気機器による機能実行時における動作エラーを未然に防止することを目的とする。
【課題を解決するための手段】
【０００６】
本発明の請求項１に記載の発明は、コンピュータを、
電気機器で実行可能な複数の機能のそれぞれについて、各機能を実行する際に用いられる複数の設定項目のそれぞれに対応付けられた、各設定項目のみの設定値の入力を求める受付画面となる入力案内画像の組合わせで構成される入力案内画像群を記憶する入力案内画像記憶部と、
前記入力案内画像記憶部に記憶されている前記入力案内画像群毎に、各入力案内画像群によって入力が求められる全ての前記設定項目を必須の入力項目とするか否かの指定をユーザから受け付ける必須指定受付部と、
前記必須指定受付部において前記入力案内画像群によって入力が求められる全ての前記設定項目が必須の入力項目に指定されている場合に、当該設定項目に対する設定値が入力されたことを条件として、当該入力案内画像群を構成する各入力案内画像の表示を終了させる旨の表示制御指令を作成する表示制御指令作成部と、
前記入力案内画像群を用いて表示部に表示させる表示画面の画面データを生成し、当該入力案内画像群に対応する前記表示制御指令が作成されている場合は、当該入力案内画像群と当該表示制御指令とを対応付けた前記画面データを生成する画面データ生成部と、
前記画面データが示す前記入力案内画像群を構成する各入力案内画像を予め定められた表示順に順次前記表示部に表示する表示処理を行い、当該画面データが前記表示制御指令を有するときは、前記表示処理において表示中の前記入力案内画像によって入力が求められる前記設定項目の設定値が入力されるまで、当該入力案内画像の表示を維持する表示制御部と
して機能させる表示画面データ生成プログラムである。
【０００７】
本発明の請求項３に記載の発明は、電気機器で実行可能な複数の機能のそれぞれについて、各機能を実行する際に用いられる複数の設定項目のそれぞれに対応付けられた、各設定項目のみの設定値の入力を求める受付画面となる入力案内画像の組合わせで構成される入力案内画像群を記憶する入力案内画像記憶部と、
前記入力案内画像記憶部に記憶されている前記入力案内画像群毎に、各入力案内画像群によって入力が求められる全ての前記設定項目を必須の入力項目とするか否かの指定をユーザから受け付ける必須指定受付部と、
前記必須指定受付部において前記入力案内画像群によって入力が求められる全ての前記設定項目が必須の入力項目に指定されている場合に、当該設定項目に対する設定値が入力されたことを条件として、当該入力案内画像群を構成する各入力案内画像の表示を終了させる旨の表示制御指令を作成する表示制御指令作成部と、
前記入力案内画像群を用いて表示部に表示させる表示画面の画面データを生成し、当該入力案内画像群に対応する前記表示制御指令が作成されている場合は、当該入力案内画像群と当該表示制御指令とを対応付けた前記画面データを生成する画面データ生成部と、
前記画面データが示す前記入力案内画像群を構成する各入力案内画像を予め定められた表示順に順次前記表示部に表示する表示処理を行い、当該画面データが前記表示制御指令を有するときは、前記表示処理において表示中の前記入力案内画像によって入力が求められる前記設定項目の設定値が入力されるまで、当該入力案内画像の表示を維持する表示制御部と
を備える情報処理装置である。
【０００８】
この発明によれば、ユーザが必須指定受付部から上記入力案内画像群により入力が求められる設定項目を必須の入力項目とする指定を入力すると、表示制御指令作成部が、当該設定項目が必須の項目に指定されたことを条件として、入力案内画像群を構成する各入力案内画像の表示を終了させる旨の表示制御指令を作成し、画面データ生成部は、入力案内画像群及び表示制御指令を用いて、電気機器の表示部に表示させる表示画面の画面データを生成するので、このようにして生成された画面データを表示部に表示する電気機器に、当該画面データに含まれる表示制御指令に従った画面表示制御を行わせ、入力案内画像が表示部に表示されているときに、各入力案内画像が案内する設定項目がユーザにより入力されない限り表示画面を次の表示に遷移させないようにすることが可能になる。これにより、電気機器の機能についてユーザが所望の設定値を入力する際に、当該機能実行のために入力が必須の設定値が必ずユーザにより入力されるようにして、当該電気機器による機能実行時における動作エラーを未然に防止することが可能になる。
【０００９】
本発明の請求項２に記載の発明は、コンピュータを、
電気機器で実行可能な複数の機能のそれぞれについて、各機能を実行する際に用いられる複数の設定項目のそれぞれに対応付けられた、各設定項目のみの設定値の入力を求める受付画面となる入力案内画像の組合わせで構成される入力案内画像群を記憶する入力案内画像記憶部と、
前記入力案内画像記憶部に記憶されている前記入力案内画像群を構成する各入力案内画像毎に、各入力案内画像に対応付けられている前記設定項目を必須の入力項目とするか否かの指定をユーザから受け付ける必須指定受付部と、
前記必須指定受付部において前記設定項目が必須の入力項目に指定されている前記入力案内画像の表示を、当該設定項目に対する設定値が入力されたことを条件として終了させる旨の表示制御指令を作成する表示制御指令作成部と、
前記入力案内画像群を構成する各入力案内画像を用いて前記画面データを生成し、当該入力案内画像に対応する前記表示制御指令が作成されている場合は、当該入力案内画像と当該表示制御指令とを対応付けた前記画面データを生成する画面データ生成部と、
前記画面データが示す前記入力案内画像群を構成する各入力案内画像を予め定められた表示順に順次前記表示部に表示する表示処理を行い、前記画面データが前記表示処理において表示中の前記入力案内画像に対応する前記表示制御指令を有するときは、当該入力案内画像によって入力が求められる前記設定項目の設定値が入力されるまで、当該入力案内画像の表示を維持する表示制御部と
して機能させる表示画面データ生成プログラムである。
本発明の請求項４に記載の発明は、電気機器で実行可能な複数の機能のそれぞれについて、各機能を実行する際に用いられる複数の設定項目のそれぞれに対応付けられた、各設定項目のみの設定値の入力を求める受付画面となる入力案内画像の組合わせで構成される入力案内画像群を記憶する入力案内画像記憶部と、
前記入力案内画像記憶部に記憶されている前記入力案内画像群を構成する各入力案内画像毎に、各入力案内画像に対応付けられている前記設定項目を必須の入力項目とするか否かの指定をユーザから受け付ける必須指定受付部と、
前記必須指定受付部において前記設定項目が必須の入力項目に指定されている前記入力案内画像の表示を、当該設定項目に対する設定値が入力されたことを条件として終了させる旨の表示制御指令を作成する表示制御指令作成部と、
前記入力案内画像群を構成する各入力案内画像を用いて前記画面データを生成し、当該入力案内画像に対応する前記表示制御指令が作成されている場合は、当該入力案内画像と当該表示制御指令とを対応付けた前記画面データを生成する画面データ生成部と、
前記画面データが示す前記入力案内画像群を構成する各入力案内画像を予め定められた表示順に順次前記表示部に表示する表示処理を行い、前記画面データが前記表示処理において表示中の前記入力案内画像に対応する前記表示制御指令を有するときは、当該入力案内画像によって入力が求められる前記設定項目の設定値が入力されるまで、当該入力案内画像の表示を維持する表示制御部と
を備える情報処理装置である。
【００１０】
この発明では、ユーザが必須指定受付部から各入力案内画像毎に、入力が求められる設定項目を必須の入力項目とする指定を入力でき、表示制御指令作成部が、当該設定項目が必須の項目に指定された入力案内画像について、この入力案内画像の表示を、当該設定項目に対する設定値が入力されたことを条件として終了させる旨の表示制御指令を作成し、画面データ生成部は、入力案内画像群及び当該表示制御指令を用いて、電気機器の表示部に表示させる表示画面の画面データを生成する。このため、当該生成された画面データを表示部に表示する電気機器に対して、入力が必須である設定項目がユーザにより入力されない限り表示画面を次の表示に遷移させない表示制御を行うか否かを、入力案内画像群を構成する各入力案内画像毎に設定することが可能になる。
【発明の効果】
【００１１】
本発明によれば、電気機器の機能についてユーザが所望の設定値を入力する際に、当該機能実行のために入力が必須の設定値が必ずユーザにより入力されるようにして、当該電機機による機能実行時における動作エラーを未然に防止することが可能になる。
【図面の簡単な説明】
【００１２】
【図１】本発明の一実施形態に係る情報処理装置を備える複合機の構成を示す側面概略図である。
【図２】操作部の部分拡大図である。
【図３】図１に示す複合機の制御ブロック図である。
【図４】複合機におけるワークフロー登録処理を示すフローチャートである。
【図５】スキャナ機能についてのワークフロー登録処理時の表示部の表示画面の遷移を示す図である。
【図６】表示部の表示画面の例を示す図である。
【図７】表示部の表示画面の例を示す図である。
【図８】ワークフロー削除時の表示部の表示画面の遷移を示す図である。
【図９】複合機におけるワークフロー呼出時の処理を示すフローチャートである。
【図１０】スキャン機能についてのワークフロー呼出時のウィザード形式表示による表示画面の遷移を示す図である。
【図１１】複合機におけるワークフロー登録処理の第２実施形態を示すフローチャートである。
【発明を実施するための形態】
【００１３】
以下、本発明の一実施形態に係る画面データ生成プログラム及び情報処理装置について説明する。図１は、本発明の一実施形態に係る情報処理装置を備える複合機の構成を示す側面概略図である。図２は、操作部４００の部分拡大図である。複合機１は、スキャナ機能、ファクシミリ機能、プリンタ機能、コピー機能等を兼ね備える画像形成装置である。複合機１は、本体部２００と、本体部２００の用紙搬出側、例えば左側に配設された用紙後処理部３００と、ユーザが種々の操作指令等を入力するための操作部４００と、本体部２００の上部に配設された原稿読み取り部５００と、原稿読み取り部５００の上部に配設された原稿給送部６００とから構成される。
【００１４】
図２にも示すように、操作部４００は、ＬＣＤ（Liquid Crystal Display）等からなる表示部４１０と、ユーザから操作指示が入力される操作キー部４３０を備える。操作キー部４３０は、ヘルプキー４３１、スタートキー４３２、テンキー４３３、及び機能切換キー４３４等を備える。
【００１５】
ヘルプキー４３１は、ユーザから、スキャナ機能、ファクシミリ機能、プリンタ機能、コピー機能等に関する各操作方法を表示する操作案内画面（ヘルプ画面）を表示部４１０に表示させる指示を受け付けるものである。
【００１６】
スタートキー４３２は、コピー動作やスキャン動作等の各動作を開始させる指示をユーザから受け付ける。テンキー４３３は、コピー部数を指定する指示等をユーザから受け付けるキーである。機能切換キー４３４は、コピー機能、送信機能（スキャナ機能、ファクシミリ機能等）、ボックス機能（後述するＨＤＤ７４内に設けられているユーザ毎の記憶領域（メールボックス）に記憶されているデータを読み出してプリントする機能）等を相互に切り替える機能切換指示をユーザから受け付けるキーである。
【００１７】
表示部４１０は、ＬＣＤ（Liquid Crystal Display）等からなり、タッチパネルを組み合わせたタッチパネルユニット等を備えている。表示部４１０は、種々の操作画面を表示すると共に、ユーザが表示面（表示されている操作キー）をタッチすることで種々の機能の実行指令を入力することが可能とされている。
【００１８】
ワークフローボタン４５０は、ユーザにより予め設定されている設定内容でコピー動作やスキャン動作等の機能を実行するワークフロー動作や、当該ワークフロー動作を登録、変更、又は削除する操作を行うための処理を開始させる指示の入力をユーザから受け付けるボタンである。
【００１９】
コピーボタン４５１は、コピー機能の開始指示をユーザから受け付けるためのボタンである。送信ボタン４５２は、スキャナによりドキュメントデータを読み取って、指定された相手先にメールで送信するメール送信機能の開始指示をユーザから受け付けるためのボタンである。文書ボックスボタン４５３は、スキャナによりドキュメントデータを読み取って、指定された保存先（複合機１のＨＤＤ７４内に設けられたフォルダ等）に保存する文書ボックス機能の開始指示をユーザから受け付けるためのボタンである。コピーボタン４５１、送信ボタン４５２、文書ボックスボタン４５３のいずれかがユーザにより押下操作されると、押下されたボタンに対応する機能の初期表示画面が表示部４１０に表示され、各機能の処理が開始される。
【００２０】
原稿給送部６０は、原稿載置部６０１、給紙ローラ６０２、原稿搬送部６０３及び原稿排出部６０４を備え、原稿読み取り部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２１】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２２】
感光体ドラム２０４は、矢印方向に回転しながら帯電装置（図示省略）によって一様に帯電される。露光装置２０６は、原稿読み取り部５００において読み取られた原稿の画像に応じて変調されたレーザ光を感光体ドラム２０４上に走査し、ドラム表面に各色毎の静電潜像を形成する。現像装置２０７は、黒色の現像剤を感光体ドラム２０４に供給してトナー画像を形成する。
【００２３】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００２４】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００２５】
図３は、図１に示す複合機の制御ブロック図である。複合機１は、スキャナ部１１、画像処理部２１、プリンタ部３１、操作部４００、制御ユニット５１、ネットワークＩ／Ｆ（インターフェース）部７１、ＨＤＤ（ハードディスクドライブ）７４、及びファクシミリ通信部７５を備える。
【００２６】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像を画像処理部２１へ出力する。
【００２７】
画像処理部２１は、補正部２２、画像加工部２３及び画像メモリ２４を含む。画像処理部２１は、読み取られた画像を必要に応じて補正部２２及び画像加工部２３により処理する。画像処理部２１によって処理された画像は印刷用に画像メモリ２４に記憶され、又はプリンタ部３１に出力される。補正部２２は、読み取られた画像に対してレベル補正、γ補正等の所定の補正処理を行う。画像加工部２３は、画像の圧縮又は伸張処理、及び拡大又は縮小処理等の種々の加工処理を行う。
【００２８】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。プリンタ部３１は、スキャナ部１１により読み取られた原稿データを用いて画像を記録紙に印刷する。具体的には、用紙搬送部３２は記録紙を画像形成部３３へ搬送し、画像形成部３３は上記の画像に対応するトナー像を形成し、転写部３４はトナー像を記録紙に転写し、定着部３５はトナー像を記録紙に定着させて画像を形成する。
【００２９】
ネットワークＩ／Ｆ部７１は、ネットワークインタフェース（10/100Base-TX）等を用い、ＬＡＮを介して外部装置との間での種々のデータの送受信を制御する。
【００３０】
操作部４００は、図１及び図２に示したように表示部４１０、操作キー部４３０を備える。表示部４１０は、タッチパネル機能により各種指示の入力を受け付ける複数のキーを表示制御部５２２による制御の下で表示する。操作キー部４３０には、図２に示した機能切換キー４３４、スタートキー４３２、テンキー４３３等が設けられている。制御ユニット５１のＣＰＵ５２は、上記表示部４１０及び操作部４００の各キーから、ユーザによって入力された指示を受け付ける。
【００３１】
ファクシミリ通信部７５は、符号化／復号化部（図示省略）、変復調部（図示省略）及びＮＣＵ（Network Control Unit）（図示省略）を含む。ファクシミリ通信部７５は、スキャナ部１１によって読み取られた原稿の画像データを、電話回線を介してファクシミリ装置等へ送信したり、ファクシミリ装置等から送信された画像データを受信したりする。符号化／復号化部は、送信する画像データを圧縮・符号化し、受信した画像データを伸長・復号化する。変復調部は、圧縮・符号化された画像データを音声信号に変調し、受信した信号（音声信号）を画像データに復調する。ＮＣＵは、送受信先となるファクシミリ装置等との電話回線による接続を制御する。
【００３２】
ＨＤＤ７４は、本発明の一実施形態に係る画面データ生成プログラムを記憶している。
【００３３】
制御ユニット５１は、ＣＰＵ及び作業領域としてのメモリを備え、複合機１の全体的な動作制御を司るものである。制御ユニット５１は、ＨＤＤ７４に記憶されている上記ファイル生成プログラムに従って機能することで、本実施形態で必要な機能に関する動作制御部５２１、表示制御部５２２、指示受付部５２３、表示制御指令作成部５２４、画面データ生成部５２５、表示用データ記憶部５３、記憶部５４、及びテンプレート記憶部５５として機能する。制御ユニット５１は、ＨＤＤ７４の一部領域を、制御ユニット５１の作業領域としても用いる。但し、制御ユニット５１のこれら動作制御部５２１乃至テンプレート記憶部５５の構成は、これに限られず、それぞれハード回路により構成されてもよい。
【００３４】
動作制御部５２１は、複合機１の各部（スキャナ部１１，画像処理部２１、プリンタ部３１等）の動作制御を司る。
【００３５】
表示制御部５２２は、表示部４１０の表示動作を制御する。表示制御部５２２は、例えば、スキャン動作やコピー動作等の機能を実行するために登録が必要な各設定項目をユーザから受け付けるための受付画面を表示部４１０に表示させる。
【００３６】
指示受付部（必須指定受付部）５２３は、表示制御部５２２による上記各設定項目を受け付けるための入力案内画像の表示時に、当該入力案内画像が入力を求める各設定項目の設定値を指定する指示等を、例えば、表示部４１０に備えられるタッチパネル機能により、ユーザから受け付ける。また、指示受付部５２３は、テンプレート記憶部５５に記憶されているテンプレートが示す入力案内画像群毎に、当該入力案内画像群によって入力が求められる設定項目を必須の入力項目とするか否かの指定をユーザから受け付ける。さらに、指示受付部５２３は、表示制御部５２２が表示部４１０に削除指示受付画像を表示させているときに、記憶部５４に記憶されている各画面データ（後述）を削除する削除指示をユーザから受け付ける。
【００３７】
表示制御指令作成部５２４は、テンプレートが示す入力案内画像群が入力を求める各設定項目を必須の入力項目とする指定が指示受付部５２３に受け付けられている場合に、設定項目に対する設定値が入力されたことを条件として、当該設定項目の入力を求める入力案内画像の表示を終了させる内容の表示制御指令を作成する。
【００３８】
画面データ生成部５２５は、テンプレート記憶部５５に記憶されているテンプレートと、このテンプレートに対応する入力案内画像群と、上記表示制御指令作成部５２４によって作成された表示制御指令とを関連付け、これらテンプレート、入力案内画像群及び表示制御指令を用いて、表示部４１０に表示させる表示画面の画面データを生成する。画面データ生成部５２５によって生成された画面データは記憶部５４に記憶される。
【００３９】
表示用データ記憶部（入力案内画像記憶部）５３は、ユーザに対する操作案内を表示するための各種データ（本実施形態では、特に、表示用データ記憶部５３は、コピー動作やスキャン動作等の機能を実行するために登録が必要な各設定項目についての設定値の入力を受け付けるための各種入力案内画像を記憶している）や、スキャナ機能、ファクシミリ機能、プリンタ機能、コピー機能等の各機能の動作状況等を表示するための画像データ（画像、文字、記号等の各データを含む）を記憶している。
【００４０】
記憶部５４は、後述する指示受付部５２３で受け付けられたテンプレートと、当該テンプレートに対応する入力案内画像群と、当該入力案内画像を構成する入力案内画像の表示時に指示受付部５２３によりユーザから受け付けられたスキャン動作やコピー動作等の機能を実行するために登録が必要な各設定項目の設定値（当該テンプレートが示す各入力案内画像に対応する設定項目の設定値）と、後述する表示制御指令作成部５２４によって作成された表示制御指令とを関連付けて記憶する。
【００４１】
テンプレート記憶部５５は、電気機器で実行可能な機能について設定項目の設定値の入力をユーザに促すための複数の入力案内画像の組み合わせ及び表示順を示すテンプレートを複数記憶する。当該テンプレートは、例えば、スキャン動作等の各機能毎に、各機能で適用する解像度、カラー／モノクロ読取の別、読取データ送信先（読取データ保存先）等の各設定項目に対応する入力案内画像の組合せとその表示順を記憶したものである。当該テンプレートは、スキャン動作等の機能を実行するために登録が必要な各設定項目をユーザに案内して登録を受け付ける処理を行うワークフロー、又はスキャン動作等の機能を実行する際に適用される各設定項目の内容を記憶して当該各設定内容でスキャン動作等の機能を実行させるワークフローに用いられる。
【００４２】
次に、複合機１におけるワークフロー登録処理を説明する。図４は、複合機１におけるワークフロー登録処理を示すフローチャートである。図５は、スキャナ機能についてのワークフロー登録処理時の表示部４１０の表示画面の遷移を示す図である。図６，図７は表示部４１０の表示画面の例を示す図である。図８はワークフロー削除時の表示部４１０の表示画面の遷移を示す図である。
【００４３】
複合機１の主電源がユーザによりオンとされると、表示制御部５２２は、表示部４１０に、例えば図６に示す初期画面４１００を表示させる（Ｓ１）。なお、この初期画面としては、コピー動作の設定画面が表示されるようにデフォルト設定されている場合を例として示している。
【００４４】
この初期画面４１００の表示時に、操作部４００のワークフローボタン４５０がユーザにより押下され、指示受付部５２３に、ワークフローの開始指示が受け付けられると（Ｓ２でＹＥＳ）、表示制御部５２２は、記憶部５４に既に記憶されておりユーザが選択して実行可能な状態にある各ワークフローについて、当該各ワークフローを示す表示画像を表示用データ記憶部５３から読み出して、ワークフロー画面４１０１（図５）として当該表示画像を表示部４１０に表示させる（Ｓ３）。これにより、ワークフローの登録処理が開始される。表示制御部５２２は、ワークフロー画面４１０１に、ユーザからワークフローの新規登録及び削除を受け付けるための新規登録／削除ボタン４１０１ｇを表示させる。
【００４５】
なお、上記初期画面４１００の表示時に、ワークフローボタン４５０がユーザにより押下されず（ワークフローの開始指示が受け付けられず）、初期画面４１００においてユーザによって指定された用紙選択や倍率等の設定内容、又は既に設定済みの設定内容（例えばデフォルト設定）で、スタートキー４３２やテンキー４３３等の押下操作が行われてコピー動作の実行指示が入力された場合は（Ｓ２でＮＯ）、当該押下操作に従って、通常通りのコピー動作等が実行される（Ｓ１５）。
【００４６】
上記表示制御部５２２によるワークフロー画面４１０１の表示中に、ユーザにより新規登録／削除ボタン４１０１ｇが押下されると、表示制御部５２２は、ワークフローの新規登録又は削除のいずれを行うかの選択指示をユーザに対して促すワークフロー登録／削除画面４１０２（図５）を表示部４１０に表示させる。表示制御部５２２は、ワークフロー登録／削除画面４１０２に、ユーザからワークフローの新規登録指示を受け付けるための新規登録ボタン４１０２ａと、ユーザからワークフローの削除指示を受け付けるための削除ボタン４１０２ｂを表示させる。
【００４７】
ここで、ユーザにより削除ボタン４１０２ｂが押下されて、タッチパネル機能により指示受付部５２３にワークフローの削除指示が受け付けられると（Ｓ４で「削除指示」）、表示制御部５２２は、表示部４１０に、削除するワークフローの選択を促す削除対象選択画面４１０３（図８）を表示させる。この削除対象選択画面４１０３には、図８に示すように、削除対象となる各ワークフローを示す画像Ｗ１，Ｗ２…が表示される。
【００４８】
この削除対象選択画面４１０３の表示時に、ユーザにより、削除が許可されるワークフローを示す画像Ｗ１，Ｗ２…のいずれかが押下されて、タッチパネル機能により、指示受付部５２３に、削除の対象とするワークフローの選択が受け付けられると（Ｓ１６でＹＥＳ）、表示制御部５２２は削除確認画面４１０８ｄを表示部４１０に表示させる。
【００４９】
この削除確認画面４１０８ｄには、ユーザから上記ワークフローの削除を承認する旨の指示を受け付けるための「はい」ボタン４１０８ｄ１と、ユーザから上記ワークフローの削除を拒否する旨の指示を受け付けるための「いいえ」ボタン４１０８ｄ２が表示制御部５２２によって表示される。ここで、ユーザにより「はい」ボタン４１０８ｄ１が押下操作され、動作制御部５２１が、ワークフローの削除を承認する旨の指示を受け付けると、当該選択されたワークフローを構成する機能（図８には、ファクス機能の場合を例として示している）についての各設定の内容と、これに関連付けられたテンプレート及び表示形式を記憶部５４から削除する（Ｓ１７）。この後、表示制御部５２２は、削除報知画面４１０９ｄを表示部４１０に表示させる。なお、特に図４では図示していないが、削除確認画面４１０８ｄの表示時に、ユーザにより「いいえ」ボタン４１０８ｄ２が押下操作され、動作制御部５２１が、ワークフローの削除を拒否する旨の指示を受け付けると、処理はＳ３に戻る。
【００５０】
一方、ワークフロー登録／削除画面４１０２の表示時に、ユーザにより新規登録ボタン４１０２ａが押下されて、タッチパネル機能により指示受付部５２３にワークフローの新規登録指示が受け付けられると（Ｓ４で「新規登録指示」）、表示制御部５２２は、表示部４１０に、ワークフローの作成に用いるテンプレートの選択を促すテンプレート選択画面４１０４（図５）を表示部４１０に表示させる。このテンプレート選択画面４１０４には、ワークフローの登録に用いることが可能にテンプレート記憶部５５に記憶されている各テンプレートを示す画像Ｔ１〜Ｔ６が表示される。
【００５１】
このテンプレート選択画面４１０４の表示時に、ユーザにより、テンプレートを示す画像Ｔ１〜Ｔ６のいずれかが押下されて、タッチパネル機能により、指示受付部５２３に、ワークフローの登録に用いるテンプレートの選択が受け付けられると（Ｓ５でＹＥＳ）、表示制御部５２２は、当該選択されたテンプレートに対応する機能の入力案内画像（例えば、スキャン機能の場合、解像度、カラー／モノクロ読取の別、読取データ送信先（読取データ保存先）等の設定項目の設定値の受付画面）を表示用データ記憶部５３から読み出し、当該読み出した入力案内画像を、ウィザード形式表示により表示部４１０に順次表示する（Ｓ６）。表示用データ記憶部５３には、当該各設定項目の設定値の受付画面となる入力案内画像を表示部４１０に表示させるための表示用データを記憶している。当該受付画面の例は、図５に示す保存先受付画面４１０５Ｃ、図７に示す解像度受付画面４１０５Ｂである。
【００５２】
指示受付部５２３は、上記受付画面としての入力案内画像の表示時に、当該受付画面上に表示した操作ボタンのユーザによる操作に基づいて、タッチパネル機能により、当該受付画面で案内している設定項目についての設定値（例えば、上記解像度の値等）を受け付ける（Ｓ７）。なお、このＳ７においては、ユーザは、当該設定項目についての設定値を指定しないことも可能である。
【００５３】
表示制御部５２２は、上記選択されたテンプレートが示す機能についての全ての設定項目の入力案内画像を受付画面として表示し、各受付画面での表示処理及び設定値の受付処理を繰り返し（Ｓ８でＹＥＳ）、全ての設定についての受付画面の表示処理及び設定値の受付処理を完了すると（Ｓ８でＮＯ）、表示用データ記憶部５３から、当該テンプレートの示す入力案内画像群により入力が求められる全ての設定項目を必須の入力項目とするか否かの指定の入力を促す表示画面の画面データを読み出し、表示部４１０に、当該読み出した画面データにより表示画面４１０６を表示させる（Ｓ９）。
【００５４】
この表示画面の表示時に、「はい」ボタン４１０６ａがユーザによって押下され、タッチパネル機能により、指示受付部５２３に、当該テンプレートの示す入力案内画像群により入力が求められる全ての設定項目を必須の入力項目とする必須入力指定の入力が受け付けられると（Ｓ１０でＹＥＳ）、表示制御指令作成部５２４は、設定項目に対する設定値が入力されたことを条件として、上記選択されたテンプレートが示す各入力案内画像の表示を終了させる旨の表示制御指令を作成する（Ｓ１１）。なお、上記必須入力指定の入力が指示受付部５２３に受け付けられない場合は（Ｓ１０でＮＯ）、当該Ｓ１１の処理は行われず、Ｓ１２の処理に移る。
【００５５】
続いて、表示制御部５２２は、表示部４１０に、当該作成されたワークフローの名称の入力画面４１０７を表示させる（Ｓ１２）。この入力画面４１０７には、キーボード画像４１０７ａ等が表示され、ユーザが当該キーボード画像を押下することでタッチパネル機能により、ユーザからのワークフロー名の入力が可能とされており、指示受付部５２３は、ユーザにより入力された当該ワークフロー名を受け付ける（Ｓ１３）。
【００５６】
上記ワークフロー名がユーザにより入力された後、画面データ生成部５２５は、Ｓ５で受け付けられたテンプレートと、このテンプレートに対応する入力案内画像群と、Ｓ８で受け付けられた各設定項目の設定値の内容と、Ｓ１１で作成された表示制御指令を関連付けた画面データを作成し（Ｓ１４）、当該作成した画面データをワークフローとして、上記入力されたワークフロー名を付して記憶部５４に記憶させる。
【００５７】
次に、複合機１におけるワークフロー呼出時の処理を説明する。図９は複合機１におけるワークフロー呼出時の処理を示すフローチャートである。図１０はスキャン機能についてのワークフロー呼出時のウィザード形式表示による表示画面の遷移を示す図である。なお、図４に示したワークフロー登録処理と同様の処理は説明を省略する。
【００５８】
複合機１の主電源がユーザによりオンとされたとき、表示制御部５２２は、表示部４１０に予め定められた初期画面４１００を表示させる（Ｓ２１）。
【００５９】
この初期画面４１００の表示時に、操作部４００のワークフローボタン４５０がユーザにより押下され、指示受付部５２３に、ワークフローの開始指示が受け付けられると（Ｓ２２でＹＥＳ）、表示制御部５２２は、ワークフロー画面４１０１（図１０）を表示させる（Ｓ２３）。ワークフロー画面４１０１には、記憶部５４に記憶（登録）されている上記各ワークフローを示すワークフロー画像４１０１ａ〜４１０１ｆが表示される。
【００６０】
ここで、ユーザにより、新規登録／削除ボタン４１０１ｇが押下された場合は、図４に示したＳ５乃至Ｓ１７の処理が行われる。当該処理は、図４に示した通りであるため、ここでは説明を省略する。
【００６１】
ワークフロー画面４１０１の表示時に、ワークフロー画面４１０１内に表示されているワークフロー画像４１０１ａ〜４１０１ｆのいずれかがユーザによって押下され、複合機１が備える機能（例えばコピー動作等）の実行について適用するワークフローを選択するワークフロー選択指示がユーザから受け付けられると（Ｓ２４でＹＥＳ）、表示制御部５２２は、当該選択されたワークフローが示す機能の各設定項目についてのそれぞれの入力案内画像を受付画面（例えば、図１０に示す保存先受付画面４１０５）として、を順次表示部４１０に表示する（Ｓ２５）。
【００６２】
当該受付画面上に表示した操作ボタン（例えば、図１０に示す保存先受付画面４１０５のキーボード等）又はテンキー４３３等のユーザによる操作に基づいて、タッチパネル機能により、当該受付画面で案内している設定項目についての設定値の指定（例えば、上記解像度の値等）を指示受付部５２３が受け付けた場合（Ｓ２６でＹＥＳ）、指示受付部５２３は、当該指定された設定値に設定項目の内容を変更する（Ｓ２７）。表示制御部５２２は、上記読み出したワークフローが示す機能についての全ての設定項目の受付画面の表示処理及び設定内容の受付処理を完了するまで（Ｓ２８でＹＥＳ）、当該受付画面の表示処理及び設定内容の受付処理を繰り返す（Ｓ２５，Ｓ２６，Ｓ２７）。
【００６３】
なお、Ｓ２６において、指示受付部５２３が、当該受付画面で案内している設定についての内容指定（例えば、上記解像度の値等）を受け付けない場合は（Ｓ２６でＮＯ）、表示制御部５２２は、当該ワークフローが上記表示制御指令を有しているか否かを判断し（Ｓ３２）、表示制御指令を有している場合には（Ｓ３２でＹＥＳ）、当該入力案内画像が入力を求める設定項目の設定値が入力されるまで、当該入力案内画像を遷移させず、当該受付画面を表示部４１０に表示させた状態を維持し、設定項目の設定値の入力を待つ（Ｓ２５，Ｓ２６）。なお、上記表示制御指令を有していない場合には（Ｓ３２でＮＯ）、次に表示すべき入力案内画像が存在するか否かの判断に移る（Ｓ２８）。なお、この実施形態では、当該ワークフローが示す入力案内画像群の入力案内画像のいずれの表示時にも、当該ワークフローが上記表示制御指令を有していれば、設定項目の設定値が入力されるまで入力案内画像を遷移させない表示制御が行われることになる。
【００６４】
表示制御部５２２は、当該ワークフローの全ての入力案内画像の表示処理及び設定項目の受付処理を完了すると（Ｓ２８でＮＯ）、表示部４１０に、この時点で受け付けられている各設定項目の設定値の内容を並べて一覧表示した画像４１１０ａと、当該一覧表示した各設定の内容で機能を実行する機能実行指示を受け付けるための機能実行ボタン４１１０ｂと、機能実行をキャンセルする指示を受け付けるためのキャンセルボタン４１１０ｃとを表示部４１０に表示させる（Ｓ２９）。
【００６５】
ユーザにより機能実行ボタン４１１０ｂが押下され、タッチパネル機能により上記機能実行指示が指示受付部５２３に受け付けられると（Ｓ３０で「機能実行」）、動作制御部５２１は、当該ワークフローか示す各設定内容で機能を実行する（Ｓ３１）。ユーザによりキャンセルボタン４１１０ｃが押下され、タッチパネル機能により上記キャンセル指示が指示受付部５２３に受け付けられると（Ｓ３０で「キャンセル」）、動作制御部５２１により当該機能が実行されることなく処理が終了する。
【００６６】
次に、複合機１におけるワークフロー登録処理の第２実施形態を説明する。図１１は複合機１におけるワークフロー登録処理の第２実施形態を示すフローチャートである。なお、図４に示した第１実施形態と同一の処理は説明を省略する。
【００６７】
第２実施形態は、当該ワークフローが示す入力案内画像群が入力を求める設定項目を必須の入力項目とする指定を、当該ワークフローが示す入力案内画像群を構成する各入力案内画面（受付画面）毎に設定可能とするものである。
【００６８】
テンプレート選択画面４１０４の表示時に、ユーザにより、テンプレートを示す画像Ｔ１〜Ｔ６のいずれかが押下されて、タッチパネル機能により、指示受付部５２３に、ワークフローの作成に用いるテンプレートの選択が受け付けられると（Ｓ４６でＹＥＳ）、表示制御部５２２は、当該選択されたテンプレートに対応する機能の入力案内画像のうち、第１番目の表示順となる入力案内画像（受付画面）を表示用データ記憶部５３から読み出し、当該読み出した入力案内画像を、ウィザード形式表示により表示部４１０に順次表示する（Ｓ４７）。
【００６９】
指示受付部５２３は、当該入力案内画像が示す受付画面の表示時に、当該受付画面上に表示した操作ボタンのユーザによる操作に基づいて、タッチパネル機能により、当該受付画面で案内している設定項目についての設定値の指定（例えば、上記解像度の値等）を受け付ける（Ｓ４８）。なお、このＳ４８においては、ユーザは、当該設定項目についての設定値を指定しないことも可能である。
【００７０】
続いて、表示制御部５２２は、表示用データ記憶部５３から、この時点で表示している入力案内画像が入力を求める全ての設定項目を必須の入力項目とするか否かの必須入力指定の入力を促す表示画面の画面データを読み出し、表示部４１０に、当該読み出した画面データにより表示画面４１０６を表示させる（Ｓ４９）。
【００７１】
この表示画面４１０６の表示時に、指示受付部５２３に、上記必須入力指定の入力がユーザから受け付けられると（Ｓ５０でＹＥＳ）、表示制御指令作成部５２４は、設定項目に対する設定値が入力されたことを条件として上記入力案内画像の表示を終了させる旨の表示制御指令を作成する（Ｓ５１）。すなわち、第２実施形態では、表示制御指令作成部５２４により、当該表示制御指令が、各入力案内画像毎に作成される。なお、当該設定項目を必須の入力項目とする指定の入力が受け付けられない場合は（Ｓ５０でＮＯ）、当該Ｓ５１の処理は行われない。
【００７２】
表示制御部５２２は、全ての設定についての受付画面の表示処理、設定項目の設定値の受付処理、及び上記必須入力指定の受付処理を完了するまでＳ４７〜Ｓ５１の処理を繰り返す（Ｓ５２でＹＥＳ）。選択されたテンプレートが示す全ての入力案内画像について当該各処理が完了すると（Ｓ５２でＮＯ）、当該作成されたワークフローの名称の入力処理を経て（Ｓ５３，Ｓ５４）、画面データ生成部５２５は、Ｓ４６で受け付けられたテンプレートと、このテンプレートに対応する入力案内画像群と、Ｓ４８で受け付けられた各設定項目の設定値の内容と、Ｓ５１で作成された各入力案内画像毎の表示制御指令とを関連付けた画面データを作成し（Ｓ５５）、当該作成した画面データをワークフローとして、上記入力されたワークフロー名を付して記憶部５４に記憶させる。
【００７３】
この第２実施形態によれば、入力が必須である設定項目がユーザにより入力されない限り表示画面を次の表示に遷移させないという表示制御を行うか否かを、ワークフローが示す入力案内画像群を構成する各入力案内画像毎に行わせることが可能になる。
【００７４】
当該第２の実施形態に係るワークフローの登録処理により登録されたワークフロー呼出時の処理は、上記図９に示したワークフロー呼出時の処理と同様であるが、第２の実施形態においては、Ｓ３２の処理では、表示制御部５２２は、当該ワークフローの示す各入力案内画像毎に上記表示制御指令を有しているか否かを判断する（Ｓ３２）。そして、入力案内画像が表示制御指令を有している場合には（Ｓ３２でＹＥＳ）、表示制御部５２２は、既に当該設定値が入力済みと判断したか、又は、未入力であれば当該入力案内画像が入力を求める設定項目の設定値が入力されるまで、当該受付画面を遷移させず、当該入力案内画像を表示部４１０に表示させた状態を維持する（Ｓ２５，Ｓ２６）。この場合、入力が必須である設定項目がユーザにより入力されない限り表示画面を次の表示に遷移させないという表示制御を行うか否かが、各入力案内画面毎に作成された表示制御指令に従って、各入力案内画面毎に行われることになる。
【００７５】
なお、本発明は上記実施の形態の構成に限られず種々の変形が可能である。上記図１乃至図１１に示した構成及び処理は、本発明の実施形態の例示に過ぎず、本発明を上記実施形態に限定する趣旨ではない。
【００７６】
また、例えば、上記各実施形態では、特許請求の範囲でいう電気機器の一例を画像形成装置、すなわち複合機１として説明したが、本発明が適用される電気機器は複合機に限られず、他の画像形成装置（コピー機、ファクシミリ装置、スキャナ装置、プリンタ等）であっても構わないし、更には、洗濯機、炊飯器、オーディオ機器等、画像形成装置とは異なる他の電気機器であっても構わない。
【符号の説明】
【００７７】
１        複合機
５１      制御ユニット
５２１    動作制御部
５２２    表示制御部
５２３    指示受付部
５２４    表示制御指令作成部
５２５    表示制御指令作成部
５３      表示用データ記憶部
５４      記憶部
５５      テンプレート記憶部
４１０    表示部
【図１】
0005690568.tif 000002
【図２】
0005690568.tif 000003
【図３】
0005690568.tif 000004
【図４】
0005690568.tif 000005
【図５】
0005690568.tif 000006
【図６】
0005690568.tif 000007
【図７】
0005690568.tif 000008
【図８】
0005690568.tif 000009
【図９】
0005690568.tif 000010
【図１０】
0005690568.tif 000011
【図１１】
0005690568.tif 000012